(57)【要約】【課題】画像表示装置による画像処理状態を簡易に調整できる表示システム、画像出力装置、制御方法及び記録媒体を提供すること。【解決手段】画像出力装置（ＰＣ）２と画像表示装置（プロジェクター）３とを備えた表示システム１であって、画像出力装置２は、表示部（表示手段）２２と、操作部（操作手段）２１と、画像表示装置３を制御する制御項目を含む制御画像を生成して表示部２２に表示させる制御画像生成部２４２と、設定された制御項目の制御情報を取得する制御情報取得部（パラメーター取得部）２４４と、当該制御情報に基づく画像処理状態を示す処理画像を表示部２２に表示させる処理画像生成部２４５と、当該制御情報を画像表示装置３に出力する制御情報出力部（画像出力部）２４７とを有し、画像表示装置３は、画像情報を処理する画像処理部３１１と、入力される制御情報に応じて画像処理状態を制御する画像処理制御部３１４とを有する。【選択図】図１
2011107563.tif 000002
【特許請求の範囲】
【請求項１】
画像情報を出力する画像出力装置と、前記画像情報に基づく画像を表示する画像表示装置とを備えた表示システムであって、
前記画像出力装置は、
画像を表示する表示部と、
入力操作を受け付ける操作部と、
前記画像表示装置を制御する制御項目を含む制御画像を生成して、当該制御画像を前記表示部に表示させる制御画像生成部と、
前記入力操作に応じて設定された前記制御項目の制御情報を取得する制御情報取得部と、
取得された前記制御情報に基づく画像処理状態を示す処理画像を生成して、当該処理画像を前記表示部に表示させる処理画像生成部と、
取得された前記制御情報を、前記画像表示装置に出力する制御情報出力部とを有し、
前記画像表示装置は、
前記画像情報を処理する画像処理部と、
入力される前記制御情報に応じて、前記画像処理部を制御する画像処理制御部とを有することを特徴とする表示システム。
【請求項２】
請求項１に記載の表示システムにおいて、
前記制御情報出力部は、前記制御情報を前記画像表示装置に出力される前記画像情報とともに出力し、
前記画像表示装置は、入力される前記画像情報から前記制御情報を抽出する制御情報抽出部を有することを特徴とする表示システム。
【請求項３】
請求項２に記載の表示システムにおいて、
前記画像出力装置は、前記制御情報取得部により取得された前記制御情報を符号化した符号化画像を生成して、当該符号化画像を前記表示部に表示させる符号化部を有し、
前記制御情報出力部は、前記表示部に表示される画像に応じた画像情報を前記画像表示装置に出力することを特徴とする表示システム。
【請求項４】
請求項１から請求項３のいずれかに記載の表示システムにおいて、
前記画像表示装置は、
光源と、
前記光源から出射された光束を変調する光変調装置と、
変調された前記光束を投射する投射光学装置とを備え、
前記制御項目には、前記投射光学装置により投射される画像の形状を調整する制御項目が含まれ、
前記制御画像には、前記投射光学装置により表示される画像の外縁を示す枠が含まれ、
前記制御情報取得部は、前記入力操作に応じて設定される前記枠の形状から、前記画像の形状を調整する前記制御情報を取得することを特徴とする表示システム。
【請求項５】
画像を生成して、当該画像に応じた画像情報を画像表示装置に出力する画像出力装置であって、
画像を表示する表示部と、
入力操作を受け付ける操作部と、
前記画像表示装置を制御する制御項目を含む制御画像を生成して、当該制御画像を前記表示部に表示させる制御画像生成部と、
前記入力操作に応じて設定された前記制御項目の制御情報を取得する制御情報取得部と、
取得された前記制御情報に基づく画像処理状態を示す処理画像を生成して、当該処理画像を前記表示部に表示させる処理画像生成部と、
取得された前記制御情報を、前記画像表示装置に出力する制御情報出力部とを有することを特徴とする画像出力装置。
【請求項６】
画像出力装置から入力される画像情報に基づく画像を表示する画像表示装置を前記画像出力装置により制御する制御方法であって、
前記画像表示装置を制御する制御項目を含む制御画像を表示する制御画像表示ステップと、
設定された前記制御項目の制御情報を取得する制御情報取得ステップと、
取得された前記制御情報に基づく画像処理状態を示す処理画像を生成して、当該処理画像を表示する処理画像表示ステップと、
取得された前記制御情報を、前記画像表示装置に出力する制御情報出力ステップと、
を有することを特徴とする制御方法。
【請求項７】
画像出力装置から入力される画像情報に基づく画像を表示する画像表示装置を前記画像出力装置により制御する制御プログラムが、前記画像出力装置により読取可能に記録された記録媒体であって、
前記画像出力装置に、
前記画像表示装置を制御する制御項目を含む制御画像を表示する制御画像表示ステップと、
設定された前記制御項目の制御情報を取得する制御情報取得ステップと、
取得された前記制御情報に基づく画像処理状態を示す処理画像を生成して、当該処理画像を表示する処理画像表示ステップと、
取得された前記制御情報を前記画像表示装置に出力する制御情報出力ステップと、
を実行させる前記制御プログラムが記録されたことを特徴とする記録媒体。
【発明の詳細な説明】
【技術分野】
【０００１】
本発明は、画像出力装置及び画像表示装置を備える表示システム、当該画像出力装置、画像出力装置による画像表示装置の制御方法及び記録媒体に関する。
【背景技術】
【０００２】
従来、画像出力装置と、当該画像出力装置から入力される画像を表示する画像表示装置とを備えた表示システムが知られている。このような表示システムでは、画像出力装置と画像表示装置とは、画像信号が伝送される画像ケーブルによって接続されることが一般的である。しかしながら、このような画像ケーブルを用いた接続では、画像出力装置により画像表示装置の動作を制御しようとした場合、専用の制御ケーブルを用いて、画像出力装置から画像表示装置に制御信号を送信する必要がある。
【０００３】
これに対し、画像表示装置を制御するための制御情報を画像中に設定し、当該画像を画像表示装置に出力する表示システムが知られている（例えば、特許文献１参照）。
この特許文献１に記載の表示システムでは、画像出力装置（画像供給装置）であるＰＣと、画像表示装置であるプロジェクターとは画像ケーブルにより接続される。このＰＣは、プロジェクターを制御するための制御画像を表示し、当該制御画像に対する入力操作に応じてプロジェクターを制御するための２次元コードを生成する。そして、当該２次元コードを含めた画像を生成し、当該画像を画像表示装置に出力する。一方、プロジェクターは、入力された画像から２次元コードを検出及び解析することで、当該２次元コードにより示される制御情報に基づく制御を行う。これにより、通信ケーブルを用いることなく、ＰＣによりプロジェクターを制御することができる。
【先行技術文献】
【特許文献】
【０００４】
【特許文献１】特開２００９−９２９９９号公報
【発明の概要】
【発明が解決しようとする課題】
【０００５】
しかしながら、前述の特許文献１に記載の表示システムのＰＣ側で表示される制御画像には、制御項目が設定され、当該制御項目のパラメーターが数値又は文字等で表示されるのみであるので、調節具合を視覚的に把握しにくいという問題がある。すなわち、制御項目のパラメーターをどの程度調整すれば、画像表示装置による画像処理状態がどのように変化するのかを把握しづらいという問題がある。このため、より簡易に画像表示装置を制御できる構成が要望されてきた。
【０００６】
本発明の目的は、画像表示装置による画像処理状態を簡易に調整できる表示システム、画像出力装置、制御方法及び記録媒体を提供することである。
【課題を解決するための手段】
【０００７】
前記した目的を達成するために、本発明の表示システムは、画像情報を出力する画像出力装置と、前記画像情報に基づく画像を表示する画像表示装置とを備えた表示システムであって、前記画像出力装置は、画像を表示する表示部と、入力操作を受け付ける操作部と、前記画像表示装置を制御する制御項目を含む制御画像を生成して、当該制御画像を前記表示部に表示させる制御画像生成部と、前記入力操作に応じて設定された前記制御項目の制御情報を取得する制御情報取得部と、取得された前記制御情報に基づく画像処理状態を示す処理画像を生成して、当該処理画像を前記表示部に表示させる処理画像生成部と、取得された前記制御情報を、前記画像表示装置に出力する制御情報出力部とを有し、前記画像表示装置は、前記画像情報を処理する画像処理部と、入力される前記制御情報に応じて、前記画像処理部を制御する画像処理制御部とを有することを特徴とする。
【０００８】
本発明によれば、制御画像生成部により、画像表示装置を制御するための制御画像が生成され、当該制御画像は表示部に表示される。そして、操作部に対する入力操作に応じて、制御画像に含まれる制御項目の制御情報（設定値）が設定されると、制御情報取得部により、当該制御情報が取得される。この制御情報は、画像表示装置に出力され、当該制御情報に基づいて、画像処理制御部が、画像情報を処理する画像処理部を制御する。この際、表示部には、当該制御情報に基づいて制御される画像表示装置の画像処理状態を示す処理画像が表示される。これによれば、使用者は、画像出力装置を操作しながら、画像表示装置で行われる画像処理状態を把握できる。従って、画像表示装置の画像処理状態を簡易に調整できる。
【０００９】
本発明では、前記制御情報出力部は、前記制御情報を前記画像表示装置に出力される前記画像情報とともに出力し、前記画像表示装置は、入力される前記画像情報から前記制御情報を抽出する制御情報抽出部を有することが好ましい。
本発明によれば、設定された制御情報は、画像出力装置から画像とともに画像表示装置に出力される。これによれば、画像信号が伝送される画像ケーブルのみにより、画像出力装置と画像表示装置とを接続することができる。従って、当該画像ケーブルの他に、画像出力装置と画像表示装置とを接続する制御ケーブルを別途設ける必要がないので、これら画像出力装置と画像表示装置との接続を簡易に行うことができる。
【００１０】
本発明では、前記画像出力装置は、前記制御情報取得部により取得された前記制御情報を符号化した符号化画像を生成して、当該符号化画像を前記表示部に表示させる符号化部を有し、前記制御情報出力部は、前記表示部に表示される画像に応じた画像情報を前記画像表示装置に出力することが好ましい。
このような符号化画像としては、例えば、一次元バーコード又は二次元バーコードを挙げることができる。
本発明によれば、表示部により表示され、かつ、符号化画像を含む画像が画像表示装置に出力されるので、画像表示装置に表示させる画像とは別に符号化画像を出力する必要がない。従って、画像出力装置の処理負担を軽減することができる。
【００１１】
本発明では、前記画像表示装置は、光源と、前記光源から出射された光束を変調する光変調装置と、変調された前記光束を投射する投射光学装置とを備え、前記制御項目には、前記投射光学装置により投射される画像の形状を調整する制御項目が含まれ、前記制御画像には、前記投射光学装置により表示される画像の外縁を示す枠が含まれ、前記制御情報取得部は、前記入力操作に応じて設定される前記枠の形状から、前記画像の形状を調整する前記制御情報を取得することが好ましい。
本発明によれば、投射光学装置により投射される画像の形状を調整する場合には、制御画像に含まれる枠の形状を設定することで、当該画像の形状に応じた制御情報が画像表示装置に出力される。これによれば、投射される画像の形状が歪んでいる場合でも、当該画像の形状を簡易に調整することができ、当該画像を適切に表示することができる。
【００１２】
また、本発明の画像出力装置は、画像を生成して、当該画像に応じた画像情報を画像表示装置に出力する画像出力装置であって、画像を表示する表示部と、入力操作を受け付ける操作部と、前記画像表示装置を制御する制御項目を含む制御画像を生成して、当該制御画像を前記表示部に表示させる制御画像生成部と、前記入力操作に応じて設定された前記制御項目の制御情報を取得する制御情報取得部と、取得された前記制御情報に基づく画像処理状態を示す処理画像を生成して、当該処理画像を前記表示部に表示させる処理画像生成部と、取得された前記制御情報を、前記画像表示装置に出力する制御情報出力部とを有することを特徴とする。
本発明によれば、画像出力装置から出力される制御情報に基づいて画像処理状態を制御する前述の画像表示装置と組み合せることで、前述の表示システムと同様の効果を奏することができる。
【００１３】
また、本発明の制御方法は、画像出力装置から入力される画像情報に基づく画像を表示する画像表示装置を前記画像出力装置により制御する制御方法であって、前記画像表示装置を制御する制御項目を含む制御画像を表示する制御画像表示ステップと、設定された前記制御項目の制御情報を取得する制御情報取得ステップと、取得された前記制御情報に基づく画像処理状態を示す処理画像を生成して、当該処理画像を表示する処理画像表示ステップと、取得された前記制御情報を、前記画像表示装置に出力する制御情報出力ステップと、を有することを特徴とする。
本発明によれば、前述の画像出力装置と同様の効果を奏することができる。
【００１４】
また、本発明の記録媒体は、画像出力装置から入力される画像情報に基づく画像を表示する画像表示装置を前記画像出力装置により制御する制御プログラムが、前記画像出力装置により読取可能に記録された記録媒体であって、前記画像出力装置に、前記画像表示装置を制御する制御項目を含む制御画像を表示する制御画像表示ステップと、設定された前記制御項目の制御情報を取得する制御情報取得ステップと、取得された前記制御情報に基づく画像処理状態を示す処理画像を生成して、当該処理画像を表示する処理画像表示ステップと、取得された前記制御情報を前記画像表示装置に出力する制御情報出力ステップと、を実行させる前記制御プログラムが記録されたことを特徴とする。
【００１５】
本発明によれば、当該制御プログラムを画像出力装置が実行することにより、当該画像出力装置から入力される制御情報に応じて画像処理状態を制御する画像表示装置と合わせることで、前述の表示システムと同様の効果を奏することができる。
なお、このような制御プログラムを、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、半導体メモリー等の記録媒体に記録することで、当該記録媒体を利用して、制御プログラムを画像出力装置にてインストール及び実行できるほか、当該制御プログラムの配布を容易に行うことができる。
【図面の簡単な説明】
【００１６】
【図１】本発明の一実施形態に係る表示システムの構成を示すブロック図。
【図２】前記実施形態における制御画像を示す図。
【図３】前記実施形態における制御画像を示す図。
【図４】前記実施形態における制御画像を示す図。
【図５】前記実施形態における補正枠の操作状態を示す図。
【図６】前記実施形態におけるプロジェクターの外観を示す斜視図。
【図７】前記実施形態におけるプロジェクターの外観を示す斜視図。
【図８】前記実施形態におけるＰＣによる制御処理、及び、プロジェクターによる調整処理を示すフローチャート。
【発明を実施するための形態】
【００１７】
以下、本発明の一実施形態を図面に基づいて説明する。
〔表示システムの全体構成〕
図１は、本実施形態に係る表示システム１の構成を示すブロック図である。
本実施形態に係る表示システム１は、図１に示すように、画像出力装置としてのＰＣ（Personal Computer）２と、当該ＰＣ２から入力される画像情報に基づく画像を表示するプロジェクター３とを備え、ＰＣ２とプロジェクター３とは、画像情報等を伝送するために、所定の画像ケーブルで接続されている。この表示システム１は、詳しくは後述するが、ＰＣ２によりプロジェクター３の画像処理状態を制御可能に構成されている。なお、当該画像ケーブルとしては、Ｄ−ｓｕｂ（D-subminiature）、ＤＶＩ（Digital Visual Interface）、ＨＤＭＩ(High-Definition Multimedia Interface)、コンポジットビデオ、コンポーネントビデオ及びＵＳＢ（Universal Serial Bus）等の各種ケーブルを採用できる。また、ＵＴＰ（Unshielded Twisted Pair）形式をはじめとする各種のＬＡＮ(Local Area Network)ケーブルを画像ケーブルとして採用することもできる。
【００１８】
〔ＰＣの構成〕
ＰＣ２は、プロジェクター３に表示させる画像に応じた画像情報を出力するほか、当該プロジェクター３の画像処理状態を制御するパラメーター（制御情報）が符号化された２次元コードを、当該画像情報に含めて出力する。このＰＣ２は、操作手段２１、表示手段２２、記憶手段２３及び制御手段２４を備える。
操作手段２１は、本発明の操作部に相当し、使用者がＰＣ２を操作するためのものである。この操作手段２１は、本実施形態では、キーボード及びマウス等のポインティングデバイスにより構成されている。
表示手段２２は、本発明の表示部に相当し、ＰＣ２の動作時画面を表示する。この表示手段２２としては、各種ディスプレイを採用することができ、本実施形態では液晶ディスプレイが採用されている。
【００１９】
記憶手段２３は、ＰＣ２の動作に必要な各種プログラム及びデータが記憶されるものであり、本実施形態では、ＨＤＤ（Hard Disk Drive）により構成されている。このような記憶手段２３には、例えば、ＰＣ２のＯＳ（Operating System）が記憶されているほか、各種アプリケーションのプログラムが記憶されている。このようなプログラムとして、プロジェクター３の画像処理状態を制御する制御アプリケーションを実行するための制御プログラムが記憶されている。
【００２０】
制御手段２４は、ＣＰＵ（Central Processing Unit）、ＲＡＭ（Random Access Memory）及びＲＯＭ（Read Only Memory）等の回路素子が実装された回路基板として構成され、ＰＣ２全体の動作を制御する。この制御手段２４は、これら回路素子により実現される動作画像生成部２４１、制御画像生成部２４２、画像合成部２４３、パラメーター取得部２４４、処理画像生成部２４５、符号化部２４６及び画像出力部２４７を有する。
【００２１】
動作画像生成部２４１は、現在のＰＣ２の動作中画像を生成する。
制御画像生成部２４２は、使用者の操作によって制御アプリケーションが起動された場合に、プロジェクター３の画像処理状態を制御するための制御画像を生成する。なお、制御画像の構成については、後に詳述する。
画像合成部２４３は、制御画像生成部２４２により生成された制御画像を動作中画像に重ねた表示画像を生成し、当該表示画像を表示手段２２に出力する。これにより、当該表示画像が表示手段２２により表示される。
【００２２】
パラメーター取得部２４４は、本発明の制御情報取得部に相当し、制御画像表示時における使用者の入力操作に応じて設定された制御項目のパラメーター（設定値）を取得する。また、パラメーター取得部２４４は、表示された制御画像にて「台形補正」ボタンＢ２（図２〜図４）が押下された場合に、当該制御画像から取得される後述する補正点ＣＰ１〜ＣＰ４の座標から、台形補正のためのパラメーターを取得する。
【００２３】
処理画像生成部２４５は、パラメーター取得部２４４により取得されたパラメーターに応じて制御されるプロジェクター３の画像処理状態を示す処理画像を生成する。この処理画像は、制御画像にて設定された各制御項目のパラメーターが反映された画像であり、プロジェクター３で当該パラメーターが適用された場合に、当該プロジェクター３により形成されるはずの仮想の画像である。なお、この処理画像は、画像合成部２４３により、制御画像に組み込まれて、表示手段２２により表示される。
なお、本実施形態において、操作手段２１（マウス及びキーボード等）を用いて、ＰＣ２の表示手段２２に表示された制御画像に含まれる各種ボタンを選択し、制御アプリケーションを通じて、当該各ボタンに割り付けられた機能の実行をＰＣ２に指示することを、「ボタンを押下する」と表現する。
【００２４】
符号化部２４６は、取得されたパラメーターと、当該パラメーターが設定された制御項目の識別情報とを符号化した画像を生成する。具体的に、符号化部は、当該パラメーター及び識別情報が設定された２次元コードを生成する。この２次元コードは、画像合成部２４３により、制御画像に組み込まれ、表示手段２２により表示される。
画像出力部２４７は、表示手段２２により表示される画像（表示画像）に応じた画像情報をプロジェクター３に出力する。なお、制御アプリケーションの起動中には、表示画像中に制御画像が含まれるので、当該制御画像中に含まれる２次元コードがプロジェクター３に出力されることとなる。すなわち、画像出力部２４７は、本発明の制御情報出力部に相当する。
【００２５】
〔制御画像の構成〕
図２は、制御画像ＡＰを示す図である。
前述のように、制御手段２４により制御アプリケーションが実行されている場合には、制御画像生成部２４２により制御画像が生成され、当該制御画像は表示手段２２により表示される。
この制御画像生成部２４２は、例えば、図２に示すように、プロジェクター３の画像処理状態を制御するための制御画像ＡＰを生成する。この制御画像ＡＰの左側には、設定領域Ａ２の表示内容を変更し、所定の制御項目のパラメーターを調整可能な状態にするためのボタンが配置されるボタン配置領域Ａ１が設定され、当該ボタン配置領域Ａ１には、「画質」及び「台形補正」とそれぞれ標記されたボタンＢ１，Ｂ２が配設される。また、制御画像ＡＰの右側には、設定領域Ａ２が設定される。また、ボタン配置領域Ａ１の下方には、符号化部２４６により生成された２次元コードが配置されるコード配置領域Ａ３が設定される。
【００２６】
図３は、画質制御用の制御画像ＡＰ１の一例を示す図である。
この制御画像ＡＰの表示時に、「画質」ボタンＢ１が押下されると、制御画像生成部２４２は、図３に示すような画質制御用の制御画像ＡＰ１を生成する。
この制御画像ＡＰ１の設定領域Ａ２内には、画質調整に用いられる複数の設定欄Ａ２１（Ａ２１１〜Ａ２１４）が設定されるほか、当該設定欄Ａ２１のパラメーターに応じて制御されるプロジェクター３の画像処理状態を示す処理画像が配置される処理画像配置領域Ａ２２が設定される。
【００２７】
すなわち、制御画像ＡＰ１の表示時に、操作手段２１に対する使用者の入力操作により、複数の調整項目の中から、1つの項目に対応する設定欄Ａ２１が選択される。そして、選択された設定欄Ａ２１が操作されることで、当該設定欄Ａ２１のパラメーターが設定され、当該パラメーターがパラメーター取得部２４４により取得される。そして、当該設定欄Ａ２１が示す制御項目及びパラメーターに応じて、処理画像配置領域Ａ２２に設定される処理画像が更新される。
例えば、「色合い」の設定欄Ａ２１１のパラメーターが変更された場合、処理画像生成部２４５が、当該設定欄Ａ２１の制御項目のパラメーターを変更した画像を生成し、画像合成部２４３が、生成された画像を処理画像配置領域Ａ２２に配置する。この画像は、当該パラメーターがプロジェクター３に出力された際に、当該パラメーターに基づいて行われるプロジェクター３により実行される画像処理状態を示す画像であり、本発明の処理画像に相当する。同様に、「色の濃さ」を設定する設定欄Ａ２１２、「ガンマ」を設定する設定欄Ａ２１３、「コントラスト」を設定する設定欄Ａ２１４が操作されると、それぞれの制御項目に対応するパラメーターが変更され、処理画像配置領域Ａ２２に設定される処理画像が更新される。
【００２８】
そして、符号化部２４６が、取得されたパラメーター、及び、当該パラメーターが設定された制御項目を示す識別情報を符号化した符号化画像としての２次元コードを生成し、画像合成部２４３が、当該２次元コードをコード配置領域Ａ３に設定する。
この２次元コードを含む制御画像ＡＰ１は、前述のように、表示手段２２により表示されるとともに、画像出力部２４７によりプロジェクター３に出力される。図３に例示した制御画像ＡＰ１においては、設定欄Ａ２１のユーザーインターフェースをスクロールバーで実現しているので、直感的に操作することが可能である。なお、設定欄Ａ２１は、スクロールバーの他に、スライダー、コンボボックス、テキストフィールド及びスピンボタンの組合せなど、種々のユーザーインターフェースで実装することが可能である。
【００２９】
図４は、制御画像ＡＰ２の一例を示す図である。
一方、制御画像ＡＰの表示時に、「台形補正」ボタンＢ２が押下された場合には、制御画像生成部２４２は、図４に示すような制御画像ＡＰ２を生成する。この制御画像ＡＰ２における設定領域Ａ２内には、補正前のプロジェクター３による形成画像の形状を示す矩形状の基準枠ＳＦが配置され、当該基準枠ＳＦは、４つの頂点である基準点ＳＰ１〜ＳＰ４を有する。また、設定領域Ａ２内には、当該基準枠ＳＦと同形状を有し、当該基準枠ＳＦと重なる補正枠ＣＦが配置され、当該補正枠ＣＦは、４つの頂点である補正点ＣＰ１〜ＣＰ４を有する。
【００３０】
図５は、補正枠ＣＦの操作状態を示す図である。
このような補正枠ＣＦの形状は、操作手段２１を構成するキーボードのカーソルキー及びマウスにより操作され、操作された補正枠ＣＦの画像が、処理画像生成部２４５により生成される。すなわち、当該補正枠ＣＦの形状を示す画像が、プロジェクター３の画像処理状態を示す処理画像となる。
【００３１】
例えば、初期状態（基準枠ＳＦと補正枠ＣＦとが一致している状態）で下方向のカーソルキーが押下された場合には、図５（Ａ）に示すように、補正枠ＣＦの上側領域が基準枠ＳＦから離れた台形状となる。また、この状態で上方向のカーソルキーが押下された場合には、補正枠ＣＦの上側領域が上昇し、再び基準枠ＳＦと補正枠ＣＦとが一致した後、図５（Ｂ）に示すように、補正枠ＣＦの下側の領域が基準枠ＳＦから離れた逆台形状となる。更に、初期状態で左方向のカーソルキーが押下された場合には、図５（Ｃ）に示すように、補正枠ＣＦの右側の領域が基準枠ＳＦから離れた台形状となり、同様に初期状態で右方向のカーソルキーが押下された場合には、図５（Ｄ）に示すように、補正枠ＣＦの左側の領域が基準枠ＳＦから離れた台形状となる。
また、マウスによって操作する場合には、補正枠ＣＦの外縁をクリックしながらドラッグすることにより、当該補正枠ＣＦを任意の形状に変更できる。
【００３２】
そして、上記いずれかの方法あるいは両者の組み合わせによって変形された補正枠ＣＦの各補正点ＣＰ１〜ＣＰ４の座標をパラメーター取得部２４４が取得する。そして、パラメーター取得部２４４は、当該座標に基づいて、プロジェクター３によって形成される画像の形状を変更して台形補正を行うためのパラメーターを算出する。
そして、当該パラメーター及び台形補正の制御項目を示す識別情報に応じた２次元コードが、符号化部２４６により生成され、図４に示すように、当該２次元コードが、画像合成部２４３により、コード配置領域Ａ３に設定される。そして、この２次元コードを含む制御画像ＡＰ２が、画像出力部２４７によりプロジェクター３に出力される。
【００３３】
〔プロジェクターの構成〕
図６及び図７は、プロジェクター３の外観を示す斜視図である。具体的に、図６及び図７は、プロジェクター３を正面上方側及び背面上方側から見た斜視図である。
プロジェクター３は、前述のように、ＰＣ２から入力される画像情報に基づく画像を表示するほか、当該画像に含まれる２次元コードを解析し、当該２次元コードに含まれる識別情報及びパラメーターに応じて画像処理状態を制御する。このようなプロジェクター３は、図６及び図７に示すように、外装を構成する外装筐体３Ａと、当該外層筐体３Ａ内に収納される制御手段３１及び表示手段３２（図１）とを有する。
【００３４】
外装筐体３Ａは、合成樹脂製の筐体であり、当該外装筐体３Ａは、図６及び図７に示すように、上部を構成するアッパーケース３ＡＵと、下部を構成するロアーケース３ＡＬとが組み合わされて構成される。この外装筐体３Ａは、天面部３Ａ１、前面部３Ａ２、背面部３Ａ３、左側面部３Ａ４、右側面部３Ａ５及び底面部３Ａ６を有する。
【００３５】
天面部３Ａ１には、プロジェクター３の起動及び調整操作を実施するための操作部としての操作パネル３Ａ１１が左右方向に延びるように設けられている。この操作パネル３Ａ１１には、押釦スイッチで構成された複数の操作ボタン３Ａ１２が配設されている。そして、当該操作ボタン３Ａ１２が押下されると、操作パネル３Ａ１１内部に配置された図示しない回路基板に実装されたタクトスイッチに当該操作ボタン３Ａ１２が接触し、当該回路基板が、押下された操作ボタン３Ａ１２に応じた操作信号を制御手段３１に出力する。
背面部３Ａ３の右下角隅部分には、図７に示すように、図示しない電源ケーブルが挿し込まれる電源コネクター３Ａ３１が設けられている。
背面部３Ａ３における右側で、かつ、天面部３Ａ１に近接する側の位置には、前記例示した各種画像ケーブルが接続される各種端子３Ａ３３が配設された入力端子群である画像信号入力部３Ａ３２が設けられている。
【００３６】
表示手段３２は、制御手段３１から入力される駆動信号に応じた画像を形成及び投射する。この表示手段３２は、図１に示すように、光源装置３２１、光変調装置３２２及び投射光学装置３２３を備える。
光源装置３２１は、高圧水銀ランプ等の光源ランプ及び反射鏡であるリフレクター、或いはＬＥＤ等の固体光源を備え、光変調装置３２２に光束を照射する。
【００３７】
光変調装置３２２は、図示を省略するが、光源装置３２１から出射された光束を変調して画像を形成する液晶パネルと、入力される駆動信号に応じて液晶パネルを駆動させるドライバーとを備える。なお、光変調装置３２２は、液晶パネルを備える構成に限定されるものではなく、マイクロミラーを用いたデバイス等、液晶以外の構成を採用してもよい。
投射光学装置３２３は、光変調装置３２２により形成された画像を拡大投射する。この投射光学装置３２３は、鏡筒と、当該鏡筒内に収納される複数のレンズとを備えた組レンズとして構成されている。
【００３８】
制御手段３１は、操作パネル３Ａ１１から入力される操作信号に応じて、或いは、自律的にプロジェクター３全体を制御するほか、ＰＣ２から入力される画像情報を処理する回路基板である。この制御手段３１は、機能部として、画像処理部３１１、コード抽出部３１２、コード解析部３１３及び画像処理制御部３１４を有する。
画像処理部３１１は、画像信号入力部３Ａ３２を介してＰＣ２から入力される画像情報を処理し、図示しないビデオメモリー上に当該画像情報に基づく画像を描画する。そして、画像処理部３１１は、描画した画像に応じた駆動信号を表示手段３２に出力する。この際、画像処理部３１１は、画像処理制御部３１４による制御の下、描画する画像を補正する。具体的に、画像処理部３１１は、前述のパラメーター及び識別情報に応じて、描画する画像の画質及び形状を補正する。
【００３９】
コード抽出部３１２は、画像処理部３１１により処理された画像、すなわち、ＰＣ２から入力された画像情報に基づく画像に、パラメーター及び識別情報が設定された２次元コードが含まれているか否かを判定する。そして、２次元コードが含まれていると判定すると、当該コード抽出部３１２は、当該２次元コードを抽出する。すなわち、コード抽出部３１２は、本発明の制御情報抽出部に相当する。
コード解析部３１３は、抽出された２次元コードを解析し、当該２次元コードに設定された識別情報及びパラメーターを取得する。
画像処理制御部３１４は、取得された識別情報及びパラメーターに基づいて、画像処理部３１１による画像処理状態を制御する。例えば、当該識別情報が「色合い」を示す場合、画像処理制御部３１４は、当該パラメーターに基づいて色合いを調整する処理を画像処理部３１１に実行させる。また、当該識別情報が「台形補正」を示す場合、画像処理制御部３１４は、当該パラメーターに基づいて描画される画像の形状を調整する処理を画像処理部３１１に実行させる。
【００４０】
〔ＰＣの処理（制御処理）〕
図８は、ＰＣ２により実行される制御処理と、プロジェクター３により実行される調整処理とを示すフローチャートである。
以下、ＰＣ２によるプロジェクター３の制御処理について説明する。
使用者により前述の制御アプリケーションの起動操作が行われると、ＰＣ２は、記憶手段２３に記憶された制御プログラムを読み出して、当該制御アプリケーションを実行し、プロジェクター３の制御処理を開始する。
この制御処理では、図８に示すように、まず、制御画像生成部２４２による制御画像の生成が行われ、当該制御画像が表示手段２２により表示される（ステップＳ１１）。
【００４１】
この後、パラメーター取得部２４４により、各制御項目のパラメーターの取得が行われ（ステップＳ１２）、当該パラメーター取得部２４４によりパラメーターの変更があったか否かが判定される（ステップＳ１３）。
ここで、変更がないと判定されると、制御手段２４は、ステップＳ１７に処理を移行し、画像出力部２４７による表示画像のプロジェクター３への出力が行われる（ステップＳ１７）。この後、処理は、ステップＳ１２に戻される。
【００４２】
一方、変更があったと判定されると、処理画像生成部２４５が、変更があった制御項目のパラメーターに基づいて、前述の処理画像を生成し（ステップＳ１４）、画像合成部２４３が制御画像に当該処理画像を設定する。これにより、処理画像を含む制御画像が表示手段２２により表示される。
この後、符号化部２４６が、取得されたパラメーター及び制御項目の識別情報を符号化した２次元コード（符号化画像）を生成し（ステップＳ１５）、画像合成部２４３が、コード配置領域Ａ３に、当該２次元コードを設定する（ステップＳ１６）。
そして、画像出力部２４７が、当該２次元コードを含む制御画像に応じた画像情報をプロジェクター３に出力し（ステップＳ１７）、制御手段２４は、処理をステップＳ１２に戻す。
以上のステップＳ１１〜Ｓ１７は、制御アプリケーションが実行されている間は、繰り返し行われる。
【００４３】
〔プロジェクターの処理（調整処理）〕
一方、プロジェクター３では、画像処理部３１１がＰＣ２からの画像情報を取得して処理し（ステップＳ２１）、コード抽出部３１２が、当該画像情報に基づく画像に２次元コードが含まれているか否かを判定する（ステップＳ２２）。
ここで、コード抽出部３１２により、２次元コードが含まれていないと判定された場合には、画像処理部３１１は、画像処理状態を調整することなく、描画した画像に応じた駆動信号を表示手段３２に出力して、当該画像を表示させる（ステップＳ２６）。
【００４４】
一方、コード抽出部３１２により、２次元コードが含まれていると判定された場合には、当該コード抽出部３１２は、２次元コードを抽出する（ステップＳ２３）。
そして、コード解析部３１３が、抽出された２次元コードを解析して、当該２次元コードに設定された識別情報及びパラメーターを取得する（ステップＳ２４）。
この後、画像処理制御部３１４が、取得された識別情報及びパラメーターに応じた処理を、画像処理部３１１に実行させる（ステップＳ２５）。
そして、取得した画像に対して当該識別情報及びパラメーターに応じた処理を実行した画像処理部３１１が、当該画像に応じた駆動信号を表示手段３２に出力することで、当該画像が表示される（ステップＳ２６）。従って、ＰＣ２により設定された制御項目のパラメーターに応じた画像処理が、プロジェクター３で行われる。
【００４５】
以上説明した本実施形態に係る表示システム１によれば、以下の効果がある。
制御画像ＡＰ１，ＡＰ２には、設定されたパラメーターに基づいて制御されるプロジェクター３の画像処理状態を示す処理画像が設定される。これによれば、制御画像を観察しながら、当該制御画像を操作することで、プロジェクター３で行われる画像処理状態を把握できる。従って、プロジェクター３の画像処理状態を簡易に調整できる。
【００４６】
設定されたパラメーターは、ＰＣ２からの出力画像に含めて画像表示装置に出力される。これによれば、画像情報が伝送される画像ケーブルのみにより、ＰＣ２とプロジェクター３とを接続することができる。従って、当該画像ケーブルの他に、ＰＣ２とプロジェクター３とを接続する制御ケーブルを別途設ける必要がないので、これらの接続を簡易に行うことができる。
【００４７】
プロジェクター３には、表示手段２２にて表示される画像と同じ画像が出力され、当該画像には、パラメーター及び識別情報が設定された符号化画像である２次元コードが含まれる。これによれば、表示手段２２にて表示される画像と、２次元コードが設定された画像とを別途生成して出力する必要がない。従って、ＰＣ２の処理負担を軽減できる。
【００４８】
プロジェクター３の台形補正を行う場合には、制御画像ＡＰ２に表示される補正枠ＣＦの形状を設定することで、台形補正用のパラメーターが取得され、当該パラメーター及び識別情報が符号化された２次元コードを含む画像に応じた画像情報がプロジェクター３に出力される。これによれば、プロジェクター３側で複雑な演算等により補正用パラメーターを算出する必要がないので、プロジェクター３の処理を軽減することができるほか、投射画像の台形補正を確実に行うことができる。従って、適切に画像を表示することができる。
【００４９】
〔実施形態の変形〕
本発明は前述の実施形態に限定されるものではなく、本発明の目的を達成できる範囲での変形、改良等は本発明に含まれるものである。
前記実施形態では、制御画像にて設定可能な項目は、画質に関する項目と台形補正であるとしたが、本発明はこれに限らない。すなわち、プロジェクター３による画像処理状態を制御する制御項目であれば、ＰＣ２にて調整及び設定可能とすることができる。
【００５０】
前記実施形態では、ＰＣ２とプロジェクター３とは、画像情報が伝送される画像ケーブルにより接続されているとしたが、本発明はこれに限らない。例えば、当該画像ケーブルの他に、前述のパラメーター及び識別情報を送信するための通信ケーブルを用いて、ＰＣ２とプロジェクター３とを接続してもよい。この場合、これらパラメーター及び識別情報を符号化した符号化画像の生成及び出力を行わなくてもよい。
【００５１】
前記実施形態では、パラメーター及び識別情報を符号化した符号化画像として、２次元コードを挙げたが、本発明はこれに限らない。すなわち、プロジェクター３により抽出可能な形態であれば、どのような形態の情報であってもよい。例えば、１次元コードでもよく、更に他のコードを用いてもよい。また、プロジェクター３が文字列認識可能であれば、当該パラメーター及び識別情報を含む文字列を画像中に組み込んで、当該画像に応じた画像情報をプロジェクター３に送信する形式であってもよい。
【００５２】
前記実施形態では、画像出力装置及び画像表示装置として、ＰＣ２及びプロジェクター３をそれぞれ挙げたが、本発明はこれに限らない。すなわち、他の画像出力装置及び他の画像表示装置を採用した表示システムにも、本発明を適用可能である。例えば、画像出力装置として、ＤＶＤ等のディスク型記録媒体を再生して、画像情報を出力する再生装置を挙げることができ、画像表示装置として、各種ディスプレイを挙げることができる。
【００５３】
前記実施形態では、制御プログラムが記憶される記憶手段２３は、ＨＤＤ（Hard Disk Drive）により構成されているとしたが、本発明はこれに限らない。例えば、当該プログラムが、ＣＤ及びＤＶＤ等のディスク型記録媒体、並びに、半導体メモリー等に記憶され、前述の制御処理を実行する際に、制御手段２４が当該プログラムを適宜読み出すように構成してもよい。
【産業上の利用可能性】
【００５４】
本発明は、画像出力装置及び画像表示装置を備える表示システムに好適に利用できる。
【符号の説明】
【００５５】
１…表示システム、２…ＰＣ（画像出力装置）、３…プロジェクター（画像表示装置）、２１…操作手段（操作部）、２２…表示手段（表示部）、２４２…制御画像生成部、２４４…パラメーター取得部（制御情報取得部）、２４５…処理画像生成部、２４６…符号化部、２４７…画像出力部（制御情報出力部）、３１１…画像処理部、３１２…コード抽出部（制御情報抽出部）、３１４…画像処理制御部。
【図１】
2011107563.tif 000003
【図２】
2011107563.tif 000004
【図３】
2011107563.tif 000005
【図４】
2011107563.tif 000006
【図５】
2011107563.tif 000007
【図６】
2011107563.tif 000008
【図７】
2011107563.tif 000009
【図８】
2011107563.tif 000010